(57)【特許請求の範囲】
【請求項１】
建物基礎の基礎コンクリートに水平方向に並んで配設される基礎断熱材であって、
断熱性を有する平板状基材と、
該平板状基板の外表に装着された表皮ボードと、
該表皮ボードの端縁に装着された防蟻体とを備え、
該防蟻体は、
前記表皮ボードを正面視した際のボード下端から突出した状態で該ボード下端を覆うと共に、前記表皮ボードを正面視した際の水平方向の一方のボード鉛直端から突出した状態で該ボード鉛直端を覆う
基礎断熱材。
【請求項２】
前記防蟻体は、蟻の進入通過を防止する細孔を多列に有するメッシュ体である請求項１に記載の基礎断熱材。
【請求項３】
建物基礎の建物屋外側で断熱を図る断熱基礎構造であって、
前記建物基礎を構成し一部が土中に埋設される基礎コンクリートと、
断熱性を有する平板状基材の外表に表皮ボードを装着して備える基礎断熱材であって、前記基礎コンクリートを前記建物屋外側で縦分割した各分割領域ごとに複数用意されて、水平方向に並んで前記基礎コンクリートに配設された請求項１または請求項２に記載の基礎断熱材とを備え、
前記複数の前記基礎断熱材は、前記基礎コンクリートが前記建物屋外側に有する段付部に前記平板状基材が突き当てられて前記表皮ボードが前記建物屋外側に位置し、前記基礎コンクリートと共に土中に埋設され、
前記防蟻体は、前記ボード下端から突出した部位にて前記基礎コンクリートの外面を覆うと共に、前記水平方向に並んで隣り合う前記基礎断熱材の間においても、前記ボード鉛直端から突出した部位にて前記隣り合う表皮ボードの表面を覆う
断熱基礎構造。
【請求項４】
前記表皮ボードは、前記基礎コンクリートの外面と実質的に面一とされている請求項３に記載の断熱基礎構造。
【請求項５】
前記防蟻体は、前記表皮ボードの外表面を含めてモルタル塗りまたはモルタル塗装されている請求項３または請求項４に記載の断熱基礎構造。
【発明の詳細な説明】
【技術分野】
【０００１】
本発明は、基礎断熱材と断熱基礎構造に関する。
【背景技術】
【０００２】
近年では、建物の断熱化を建物基礎においても図った上で、基礎断熱材への白蟻の侵入を回避する手法が提案されている（例えば、特許文献１）。この白蟻回避手法では、基礎断熱材における断熱性の平板状基材を予め立ち上げ部に埋設し、この平板状基材とは別体の表皮ボードを、建物基礎の下端にて土中に埋設される捨てコンクリートの上面から延ばして、平板状基材にいわゆる後付け装着し、表皮ボード下端側のＬ字状の屈曲防蟻体により、白蟻の侵入を回避している。
【先行技術文献】
【特許文献】
【０００３】
【特許文献１】特開２０１０−２４７３８号公報
【発明の概要】
【発明が解決しようとする課題】
【０００４】
上記した白蟻回避手法では、現場での表皮ボードの後付け装着を要することから、作業工数の低減が要請されている。また、防蟻体を、予め或いは基礎工事現場にて、Ｌ字状に屈曲形成して設置する必要があり、煩雑であった。この他、防蟻性を高めるに当たってのコスト低下や、施工工数の低減、或いは簡略化も求められている。
【課題を解決するための手段】
【０００５】
上記した課題の少なくとも一部を達成するために、本発明は、以下の形態として実施することができる。
建物基礎の基礎コンクリートに水平方向に並んで配設される基礎断熱材であって、
断熱性を有する平板状基材と、
該平板状基板の外表に装着された表皮ボードと、
該表皮ボードの端縁に装着された防蟻体とを備え、
該防蟻体は、
前記表皮ボードを正面視した際のボード下端から突出した状態で該ボード下端を覆うと共に、前記表皮ボードを正面視した際の水平方向の一方のボード鉛直端から突出した状態で該ボード鉛直端を覆う。
【０００６】
（１）本発明の一形態によれば、断熱基礎構造が提供される。この断熱基礎構造は、建物基礎の建物屋外側で断熱を図る断熱基礎構造であって、前記建物基礎を構成し一部が土中に埋設される基礎コンクリートと、断熱性を有する平板状基材の外表に表皮ボードを装着して備える基礎断熱材であって、前記基礎コンクリートを前記建物屋外側で縦分割した各分割領域ごとに複数用意されて、水平方向に並んで前記基礎コンクリートに配設された基礎断熱材とを備え、前記複数の前記基礎断熱材は、前記基礎コンクリートが前記建物屋外側に有する段付部に前記平板状基材が突き当てられて前記表皮ボードが前記建物屋外側に位置し、前記基礎コンクリートと共に土中に埋設され、耐食性を有する防蟻体を、前記表皮ボードの下端側を前記基礎コンクリートの外面と共に覆うよう、前記基礎コンクリートの外面と前記表皮ボードの表面に密着させて備えた上で、前記水平方向に並んで隣り合う前記基礎断熱材の間においても、前記防蟻体を前記表皮ボードの表面に密着させて備える。
【０００７】
上記形態の断熱基礎構造では、建物基礎の断熱を、複数の基礎断熱材を基礎コンクリートに水平方向に並んで配設することで図る。基礎断熱材のそれぞれは、断熱性を有する平板状基材の外表に表皮ボードを装着済みであることから、現場作業での表皮ボードの後付け装着が不要となり、その分、工数削減を図ることができる。また、上記形態の断熱基礎構造では、耐食性を有する防蟻体にて防蟻性を図るに当たり、この防蟻体を、表皮ボードの下端側を基礎コンクリートの外面と共に覆うよう、基礎コンクリート外面と表皮ボード表面に密着させた上で、水平方向に並んで隣り合う基礎断熱材の間においても、防蟻体を表皮ボードの表面に密着させればよく、防蟻体形状の屈曲変形を要しない。よって、上記形態の断熱基礎構造によれば、防蟻体の設置は簡便となり、その工数の低減やコスト低下を図ることも可能となる。この他、白蟻が土中の浅い箇所や地面に沿って基礎断熱材の側に侵入しても、水平方向に並んで隣り合う基礎断熱材の間における防蟻体により、白蟻を隣り合う基礎断熱材の間に到達できないようにできる。また、白蟻が捨てコンクリートの外面から立ち上げ部の外面に沿って基礎断熱材の側に侵入しても、表皮ボードの下端側を立ち上げ部の外面と共に覆う防蟻体により、白蟻を基礎断熱材に表皮ボード下端から到達できないようにできる。この結果、上記形態の断熱基礎構造によれば、防蟻性をより一層高めることができる。
【０００８】
（２）上記した形態の断熱基礎構造において、表皮ボードは、前記基礎コンクリートの外面と実質的に面一とされているようにできる。こうすれば、表皮ボードの下端側を基礎コンクリートの外面と共に覆うよう、基礎コンクリート外面と表皮ボード表面に防蟻体を密着させる際の作業が簡便となる。
【０００９】
（３）上記したいずれかの形態の断熱基礎構造において、前記防蟻体は、蟻の進入通過を防止する細孔を多列に有するメッシュ体とできる。こうすれば、細孔が塞がれないまま残っても、防蟻性を確保できる。
【００１０】
（４）上記したいずれかの形態の断熱基礎構造において、前記防蟻体は、前記表皮ボードの外表面を含めてモルタル塗りまたはモルタル塗装されているようにできる。こうすれば、断熱基礎構造の見栄えを向上できるほか、表皮ボードの表面への防蟻体の密着性の向上と密着性の確保ができるので、防蟻性がより高まる。
【００１１】
なお、本発明は、種々の形態で実現することが可能であり、例えば、断熱基礎構造を有する住居等の態様で実現することができる。
【図面の簡単な説明】
【００１２】
【図１】本発明の実施形態としての断熱基礎構造１０を一部破断して概略的に示す説明図である。
【図２】土中に埋設した状態の断熱基礎構造１０を概略的に断面視して示す説明図である。
【図３】基礎コンクリート部２０の形成・養生の様子と基礎断熱材４０との関係を示す説明図である。
【図４】養生済みの基礎コンクリート部２０と基礎断熱材４０との関係を示す説明図である。
【図５】立ち上げ部３０の形成・養生の様子と基礎断熱材４０との関係を示す説明図である。
【図６】他の実施形態の断熱基礎構造１０Ａを一部破断して概略的に示す説明図である。
【図７】防蟻メッシュ装着済みの実施形態の基礎断熱材４０Ａを概略的に示す説明図である。
【発明を実施するための形態】
【００１３】
以下、本発明の実施の形態について、図面に基づき説明する。図１は本発明の実施形態としての断熱基礎構造１０を一部破断して概略的に示す説明図、図２は土中に埋設した状態の断熱基礎構造１０を概略的に断面視して示す説明図である。
【００１４】
図示するように、断熱基礎構造１０は、捨てコンクリート１２を最下層として、この捨てコンクリート１２に、基礎コンクリート部２０を備える。この基礎コンクリート部２０は、後述の工程を経て立ち上げ部３０を備えるよう形成されるコンクリート製であり、建物（図示略）の建物基礎を構成する。断熱基礎構造１０は、この基礎コンクリート部２０の建物屋外側に、平板状の基礎断熱材４０と、基礎断熱材４０の下端において水平方向に延びる第１防蟻メッシュ６０Ｈと、隣り合う基礎断熱材４０の間において垂直方向に延びる第２防蟻メッシュ６０Ｖとを備える。
【００１５】
基礎断熱材４０は、所定の縦横寸法の矩形形状をなし、基礎コンクリート部２０を縦分割した各分割領域ごとに複数用意される。それぞれの基礎断熱材４０は、断熱材本体４２と表皮ボード４４とを備える。断熱材本体４２は断熱性を有する平板状基材であり、例えば、硬質ウレタン発泡成型品、ポリスチレン発泡成型品、ポリオレフィン発泡成型品等のプラスチック発泡成型品や、グラスウール、ロックウール、セルローズファイバー等の断熱性の短繊維の平板成型品である。なお、断熱材本体４２にアンカー作用をなすブロックを埋設し、アンカー部位を断熱材本体４２の裏面から突出するようにしてもよい。
【００１６】
表皮ボード４４は石膏等を用いた不燃性のボードであり、土中に埋設した場合の耐性や、白蟻による食害回避が可能である。そして、この表皮ボード４４は、断熱材本体４２と縦横寸法が同寸とされ、接着剤等により断熱材本体４２に予め装着されている。断熱基礎構造１０において、基礎断熱材４０は、水平方向に並んで基礎コンクリート部２０に配設され、表皮ボード４４を立ち上げ部３０の外面と面一として建物屋外側に位置させる。また、基礎断熱材４０は、その有する断熱材本体４２を基礎コンクリート部２０およびその立ち上げ部３０に埋め込ませた状態で、捨てコンクリート１２の側で基礎コンクリート部２０と共に土中に埋設されている。
【００１７】
第１防蟻メッシュ６０Ｈと第２防蟻メッシュ６０Ｖは、ステンレス等の耐食性に富む金属メッシュ鋼板であり、白蟻の食害耐性は勿論、メッシュサイズにおいても、白蟻の進入通過を許さないようにされている。そして、第１防蟻メッシュ６０Ｈは、図１や図２に示すように、捨てコンクリート１２の上面１２Ｕから立ち上がり、表皮ボード４４の下端側を基礎コンクリート部２０の外面と共に覆うよう、基礎コンクリート部２０の外面と断熱材本体４２の表面に密着する。第２防蟻メッシュ６０Ｖは、水平方向に並んで隣り合う基礎断熱材４０の間において、基礎断熱材４０の上端から下端に掛けて延在し、隣り合う基礎断熱材４０の表皮ボード４４の表面に密着する。第２防蟻メッシュ６０Ｖと第１防蟻メッシュ６０Ｈとは、第２防蟻メッシュ６０Ｖの下端側で重なるので、本実施形態では、図２に示すように、第１防蟻メッシュ６０Ｈを第２防蟻メッシュ６０Ｖに被せている。この逆に、第２防蟻メッシュ６０Ｖを第１防蟻メッシュ６０Ｈに被せるようにしてもよい。第１、第２の両防蟻メッシュは、基礎コンクリート部２０と立ち上げ部３０の後述する養生形成の際に固定できるほか、表皮ボード４４の下端側表面と隣り合う基礎断熱材４０の表皮ボード４４の表面に接着剤を塗布し、この接着剤に両防蟻メッシュを押しつけて固定するようにしてもよい。接着剤での固定では、接着剤は、第１、第２の両防蟻メッシュのメッシュを埋めつつメッシュ上面にまで達して硬化するので、第１、第２の両防蟻メッシュは、表皮ボード４４の下端側表面と隣り合う基礎断熱材４０の表皮ボード４４の表面において、隙なく接着される。この場合、接着剤が上記の両防蟻メッシュの全ての細孔を埋める必要はなく、埋められないまま残った細孔は、そのサイズから、防蟻性を呈する。
【００１８】
上記した構成の断熱基礎構造１０は、第１防蟻メッシュ６０Ｈと第２防蟻メッシュ６０Ｖの配設・固定後に、基礎断熱材４０を、図２に示すように、建物屋外側において第１防蟻メッシュ６０Ｈと第２防蟻メッシュ６０Ｖの下端側を含む範囲で土中となるよう、埋設される。本実施例では、グランドライン（ＧＬ）にて、基礎断熱材４０の下端側の約１／３が土中となるよう断熱基礎構造１０を埋設した。
【００１９】
次に、断熱基礎構造１０の製造工程について説明する。図３は基礎コンクリート部２０の形成・養生の様子と基礎断熱材４０との関係を示す説明図、図４は養生済みの基礎コンクリート部２０と基礎断熱材４０との関係を示す説明図、図５は立ち上げ部３０の形成・養生の様子と基礎断熱材４０との関係を示す説明図である。
【００２０】
図３に示すように、まず、敷き詰められた捨て石Ｓの上に捨てコンクリート１２を形成・養生する。その養生後に、建物屋外側型枠１００を捨てコンクリート１２の上面１２Ｕに設置する。建物屋外側型枠１００は、外側縦枠１０２をその上下端で補強枠材１０４Ｕ、１０４Ｄに固定した状態で、外側縦枠１０２の下端が捨てコンクリート１２の上面１２Ｕに当接するよう、外側縦枠１０２を立設させる。上下の補強枠材１０４Ｕ、１０４Ｄは、適宜な間隔で縦補強材１０６にて補強されている。この場合、外側縦枠１０２の一面には、この基礎断熱材４０の下端と捨てコンクリート１２の上面１２Ｕとの間に数十ｍｍの間隙を確保して、基礎断熱材４０が水平方向に並んで配設される。この断熱材配設に先立って、或いは配設と共に、第１防蟻メッシュ６０Ｈと第２防蟻メッシュ６０Ｖとを外側縦枠１０２にセットする。つまり、第１防蟻メッシュ６０Ｈにあっては、捨てコンクリート１２の上面１２Ｕから延びる外側縦枠１０２の下端側面に密着した状態で、水平方向に外側縦枠１０２の下端側面に沿って延在するよう、配設セットされる。第２防蟻メッシュ６０Ｖにあっては、基礎断熱材４０の長辺寸法をピッチとして、外側縦枠１０２の上端側から下端側に掛けてほぼ垂直に外側縦枠１０２に沿って延在するよう、配設セットされる。このように配設された第１防蟻メッシュ６０Ｈと第２防蟻メッシュ６０Ｖおよび基礎断熱材４０は、外側縦枠１０２の側から打ち込まれた釘Ｎにて、外側縦枠１０２に保持される。この場合、第１防蟻メッシュ６０Ｈと基礎断熱材４０との接触領域および第２防蟻メッシュ６０Ｖと基礎断熱材４０との接触範囲には、接着剤を用い、予め防蟻メッシュを基礎断熱材４０に、詳しくは表皮ボード４４の表面に接着させておくことが望ましい。また、基礎断熱材４０の下端と捨てコンクリート１２の上面１２Ｕとの間の上記間隙は、第１防蟻メッシュ６０Ｈの幅より短くされる。つまり、上記したように間隙を確保した場合にあっても、基礎断熱材４０の表皮ボード４４は、その下端側では、第１防蟻メッシュ６０Ｈで塞がれることになる。
【００２１】
こうして建物屋外側型枠１００が設置されると、図３において点線で示す領域にコンクリートが打ち込まれる。打込コンクリートは、図４に示すように、建物屋外側型枠１００の側にまで行き渡り、外側縦枠１０２に保持済みの基礎断熱材４０の表面（コンクリート接触面４０Ｓ）を覆う。この後、コンクリートは養生されて硬化し、図４に示すように、基礎コンクリート部２０が形成される。このコンクリート養生硬化により、基礎断熱材４０は、その下端側において、断熱材本体４２を基礎コンクリート部２０に埋め込み、この埋め込みにより、基礎コンクリート部２０に固定される。なお、基礎断熱材４０にアンカー作用をなすブロックが埋設されていれば、基礎コンクリート部２０への基礎断熱材４０の固定は強固となる。
【００２２】
この基礎コンクリート部２０の形成までのコンクリート養生の際、打込コンクリートは、その養生の間において、基礎断熱材４０が有する断熱材本体４２のコンクリート接触面４０Ｓにおける発泡気孔や断熱短繊維の積層空隙に入り込み、その状態で養生硬化する。これによって、基礎断熱材４０は、養生硬化後のコンクリート製の立ち上げ部３０を含む基礎コンクリート部２０の端部側と接合する。しかも、このコンクリート養生の際、コンクリートは、基礎断熱材４０が有する断熱材本体４２の下端側端面４０Ｄにおける発泡気孔や断熱短繊維の積層空隙にも入り込み、その状態で養生硬化する。また、コンクリートは、基礎断熱材４０の下端側で露出した第１防蟻メッシュ６０Ｈの細孔に入り込んで養生硬化するので、第１防蟻メッシュ６０Ｈは、確実に基礎コンクリート部２０に固定される。この場合、コンクリートが上記の第１防蟻メッシュ６０Ｈの全ての細孔を埋める必要はなく、埋められないまま残った細孔は、そのサイズから、防蟻性を呈する。
【００２３】
このようにして基礎コンクリート部２０がコンクリート養生を経て形成されると、基礎コンクリート部２０の端部側に立ち上げ部３０を形成すべく、図５に示すように、建物屋内側型枠１１０を基礎コンクリート部２０の上面に設置して、建物屋外側型枠１００と対向させる。建物屋内側型枠１１０は、内側縦枠１１２をその上下端で補強枠材１１４Ｕ、１１４Ｄに固定した状態で、内側縦枠１１２の下端が基礎コンクリート部２０の上面に当接するよう、内側縦枠１１２を立設させる。上下の補強枠材１１４Ｕ、１１４Ｄは、適宜な間隔で図示しない縦補強材にて補強される。この場合、形成済みの建物屋外側型枠１００の外側縦枠１０２と建物屋内側型枠１１０の内側縦枠１１２との間には、その上端側、即ち形成する立ち上げ部３０の上端面より上方位置において、間隔保持材１１８が適宜配設される。間隔保持材１１８の長さは、形成対象となる立ち上げ部３０の厚みに合わせて調整されていることから、外側縦枠１０２と内側縦枠１１２とは、形成対象となる立ち上げ部３０の厚みに相当する間隔を隔てて対向し、立ち上げ部３０の形成領域を形成する。
【００２４】
こうして建物屋内側型枠１１０が設置されると、図５において点線で示す領域にコンクリートが打ち込まれる。打込コンクリートは、対向する外側縦枠１０２と内側縦枠１１２で形成された領域に堆積し、外側縦枠１０２に保持済みの基礎断熱材４０のコンクリート接触面４０Ｓを覆う。その後、打込コンクリートは養生されて硬化し、図１〜図２に示すように、基礎コンクリート部２０の端部側で当該コンクリート部と一体となった立ち上げ部３０が形成される。本実施例では、立ち上げ部３０の上端面を基礎断熱材４０の上端面と同じ高さとなるようにしたが、立ち上げ部上端面を基礎断熱材４０の上端より数十ｍｍ程度高くすることもできる。
【００２５】
この立ち上げ部３０の形成までのコンクリート養生の際、打込コンクリートは、その養生の間において、基礎断熱材４０が有する断熱材本体４２のコンクリート接触面４０Ｓにおける発泡気孔や断熱短繊維の積層空隙に入り込み、その状態で養生硬化する。これによって、基礎断熱材４０は、養生硬化後のコンクリート製の立ち上げ部３０と接合する。立ち上げ部３０のコンクリートが養生硬化すれば、建物屋外側型枠１００と建物屋内側型枠１１０は撤去され、図２に示すように、断熱基礎構造１０の建物屋外側を埋め戻す。こうして、断熱基礎構造１０が完成し、完成状態の断熱基礎構造１０においては、基礎コンクリート部２０は、建物屋外側に立ち上げ部３０の上端までに亘る段付部２０Ｓを有し、この段付部２０Ｓに基礎断熱材４０の断熱材本体４２を突き当てて備え、表皮ボード４４を建物屋外側に位置させる。
【００２６】
ところで、第１防蟻メッシュ６０Ｈと第２防蟻メッシュ６０Ｖを、図３〜図５で示す断熱基礎構造１０の形成・養生の後に配設する場合は、次のように第１防蟻メッシュ６０Ｈと第２防蟻メッシュ６０Ｖを固定する。第１防蟻メッシュ６０Ｈについては、基礎コンクリート部２０の段付部２０Ｓに突き当てて接合固定済みで水平方向に並んだ基礎断熱材４０の表皮ボード４４の下端側表面とその下方の基礎コンクリート部２０の外表面に接着剤を塗布等した上で、この塗布済み接着剤に対して第１防蟻メッシュ６０Ｈを押圧する。第２防蟻メッシュ６０Ｖにあっては、隣り合う基礎断熱材４０の間の断熱材本体４２の表面に接着剤を塗布等した上で、この塗布済み接着剤に対して第２防蟻メッシュ６０Ｖを押圧する。第１防蟻メッシュ６０Ｈと第２防蟻メッシュ６０Ｖは、白蟻の進入通過を許さない細孔を有するとはいえメッシュであることから、既述したように、接着剤は、両防蟻メッシュのメッシュを埋めつつメッシュ上面にまで達して硬化する。これにより、第１防蟻メッシュ６０Ｈは、表皮ボード４４の下端側を立ち上げ部３０の外面と共に覆うよう、立ち上げ部３０の外面と断熱材本体４２の表面に密着固定される。第２防蟻メッシュ６０Ｖは、水平方向に並んで隣り合う基礎断熱材４０の間において、基礎断熱材４０の上端から下端に掛けて延在し、隣り合う基礎断熱材４０の表皮ボード４４の表面に密着固定される。なお、第１防蟻メッシュ６０Ｈは、長尺状である上に、そのメッシュ自体を白蟻が通過できない細孔としているので、接着剤による第１防蟻メッシュ６０Ｈの密着固定は、第１防蟻メッシュ６０Ｈの長手方向全域において施す必要はなく、適宜な間隔で行えばよい。接着剤の硬化後には、図２に示すように、断熱基礎構造１０の建物屋外側を埋め戻す。こうして、断熱基礎構造１０が完成する。
【００２７】
以上説明した本実施形態の断熱基礎構造１０では、基礎コンクリート部２０とその端部の立ち上げ部３０とをコンクリートにて形成する際、コンクリート養生の間において、打込コンクリートを、基礎断熱材４０が有する断熱材本体４２のコンクリート接触面４０Ｓはもとより下端側端面４０Ｄにおける発泡気孔や断熱短繊維の積層空隙に入り込ませて養生硬化させる。これによって、基礎コンクリート部２０と立ち上げ部３０が養生形成されると共に、基礎断熱材４０は、養生硬化後のコンクリート製の立ち上げ部３０を含む基礎コンクリート部２０の端部側の段付部２０Ｓに対して、コンクリート接触面４０Ｓと下端側端面４０Ｄにおいて接合する。よって、本実施例の断熱基礎構造１０によれば、断熱材本体４２のコンクリート接触面４０Ｓと下端側端面４０Ｄに入り込んで養生硬化したコンクリートにより、立ち上げ部３０および基礎コンクリート部２０への基礎断熱材４０の剥がれ止め機能、保持および固定機能を発揮する。
【００２８】
こうしたことから、本本実施形態の断熱基礎構造１０は、養生硬化したコンクリートの上記した剥がれ止め機能等により、基礎断熱材４０を、コンクリートの養生硬化を経て得られた立ち上げ部３０および基礎コンクリート部２０に確実に接合固定した建物基礎となる。そして、このように基礎断熱材４０を建物基礎における立ち上げ部３０および基礎コンクリート部２０に装着するに際しては、立ち上げ部３０の厚みの制約を受けない。この結果、本実施例の断熱基礎構造１０によれば、種々の厚み寸法を取り得る立ち上げ部３０に対しての基礎断熱材４０の装着の際の施工性を向上させることができる。
【００２９】
本本実施形態の断熱基礎構造１０では、建物基礎の断熱を、複数の基礎断熱材４０を基礎コンクリート部２０に水平方向に並んで配設することで図る。基礎断熱材４０のそれぞれは、断熱性を有する断熱材本体４２の外表に表皮ボード４４を装着済みであることから、現場作業での表皮ボード４４の後付け装着は無用となる。よって、本本実施形態の断熱基礎構造１０によれば、作業人工や作業工数の削減を図ることができ、コストの低減を図ることができる。また、本本実施形態の断熱基礎構造１０では、基礎断熱材４０における断熱材本体４２への防蟻性を図るに当たり、第１防蟻メッシュ６０Ｈを、表皮ボード４４の下端側を基礎コンクリート部２０および立ち上げ部３０の外面と共に覆うよう、立ち上げ部３０の外面と表皮ボード４４の表面に密着固定した上で、水平方向に並んで隣り合う基礎断熱材４０の間においても、第２防蟻メッシュ６０Ｖを表皮ボード４４の表面に密着固定すればよく、防蟻体形状の屈曲変形を要しない。よって、本本実施形態の断熱基礎構造１０によれば、上記の両防蟻メッシュの設置は簡便となり、その工数の低減やコスト低下を図ることができる。
【００３０】
本本実施形態の断熱基礎構造１０では、白蟻が土中の浅い箇所や地面に沿って基礎断熱材４０の側に侵入しても、水平方向に並んで隣り合う基礎断熱材４０の間における第２防蟻メッシュ６０Ｖにより、白蟻を隣り合う基礎断熱材４０の間に到達できないようにする。また、白蟻が捨てコンクリート１２の外面から立ち上げ部３０の外面に沿って基礎断熱材４０の側に侵入しても、表皮ボード４４の下端側を立ち上げ部３０の外面と共に覆う第１防蟻メッシュ６０Ｈにより、白蟻を基礎断熱材４０に表皮ボード４４の下端から到達できないようにできる。この結果、本本実施形態の断熱基礎構造１０によれば、防蟻性をより一層高めることができる。
【００３１】
本本実施形態の断熱基礎構造１０では、表皮ボード４４が基礎コンクリート部２０の外面と実質的に面一となるように、基礎断熱材４０を基礎コンクリート部２０の段付部２０Ｓに埋設した。よって、表皮ボード４４の下端側を基礎コンクリート部２０の外面と共に覆うよう、第１防蟻メッシュ６０Ｈを基礎コンクリート部２０の外面と表皮ボード４４の表面に密着させる際の作業が簡便となる。特に、第１防蟻メッシュ６０Ｈと第２防蟻メッシュ６０Ｖを、図３〜図５で示す断熱基礎構造１０の形成・養生の後に配設する場合、表皮ボード４４が基礎コンクリート部２０の外面と実質的に面一であると、両防蟻メッシュの接着作業が簡便となり、望ましい。
【００３２】
次に、他の実施形態について説明する。図６は他の実施形態の断熱基礎構造１０Ａを一部破断して概略的に示す説明図である。この実施形態では、第１防蟻メッシュ６０Ｈと第２防蟻メッシュ６０Ｖを配設済みの状態において、両防蟻メッシュを、表皮ボード４４の外表面を含めて、鏝ＫＴにてモルタルＭＣを塗り延ばして外装仕上げを行う。この実施形態の１０Ａによれば、その見栄えを向上できるほか、表皮ボード４４の表面への両防蟻メッシュの密着性を高めた上で、密着性を確保するので、より確実に防蟻性を発揮できる。この場合、鏝ＫＴによるモルタル塗りに代え、吹き付け等のモルタル塗装としてもよい。
【００３３】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【００３４】
本実施形態では、断熱基礎構造１０の形成に当たり、基礎コンクリート部２０を先に形成してから立ち上げ部３０をコンクリート形成したが、これらをほぼ同時に形成することもできる。この場合には、捨てコンクリート１２に設置した建物屋外側型枠１００に対して予め建物屋内側型枠１１０を対向設置した上で、基礎コンクリート部２０に相当する量のコンクリートを先に打ち込み、その打込コンクリートの養生初期でいわゆる生乾きの状態で、立ち上げ部３０に相当する量のコンクリートを打ち込めばよい。また、第１防蟻メッシュ６０Ｈと第２防蟻メッシュ６０Ｖとが重なるようにしたが、第２防蟻メッシュ６０Ｖを第１防蟻メッシュ６０Ｈの上端までとすることもできる。
【００３５】
本実施形態では、第１防蟻メッシュ６０Ｈと第２防蟻メッシュ６０Ｖとを、ステンレス等の耐食性に富む金属メッシュ鋼板としたが、１ｍｍもしくはそれ以下の厚みの薄葉状のステンレスプレートや、ステンレス等の耐食性に富む金属を細線状に繊維化したスライバーを不織布様に織り込んだものとしてもよい。また、ステンレス等の耐食性に富む金属の細径単繊維を混在させた塗料剤を、表皮ボード４４の下端側を基礎コンクリート部２０の外面と共に覆うよう塗布して乾燥させたり、水平方向に並んで隣り合う基礎断熱材４０の表皮ボード４４をその上端から下端に掛けて覆うよう塗布して乾燥させるようにしてもよい。この場合、塗料乾燥後の状態において、金属の細径単繊維が白蟻の進入通過を許さない程度まで密に凝集するよう、金属の細径単繊維が塗料剤に混在させることが望ましい。
【００３６】
この他、基礎断熱材４０に予め第１防蟻メッシュ６０Ｈと第２防蟻メッシュ６０Ｖを装着してもよい。図７は防蟻メッシュ装着済みの実施形態の基礎断熱材４０Ａを概略的に示す説明図である。図示するように、この実施形態の基礎断熱材４０Ａは、断熱材本体４２に装着した表皮ボード４４の表面に、予め第１防蟻メッシュ６０Ｈと第２防蟻メッシュ６０Ｖとを備える。第１防蟻メッシュ６０Ｈは、表皮ボード４４の下端から突出した状態でボード下端を覆い、第２防蟻メッシュ６０Ｖは、表皮ボード４４の右端から突出した状態でボード右端を覆う。そして、両防蟻メッシュは、図における基礎断熱材４０の右下端側で一体となっており、接着剤にて表皮ボード４４に予め接着固定されている。この実施形態の基礎断熱材４０Ａにあっても、既述した効果を奏することができる。
【符号の説明】
【００３７】
１０、１０Ａ…断熱基礎構造
１２…捨てコンクリート
１２Ｕ…上面
２０…基礎コンクリート部
３０…立ち上げ部
４０…基礎断熱材
４０Ｄ…下端側端面
４０Ｓ…コンクリート接触面
４２…断熱材本体
４４…表皮ボード
６０Ｈ…第１防蟻メッシュ
６０Ｖ…第２防蟻メッシュ
１００…建物屋外側型枠
１０２…外側縦枠
１０４Ｕ…補強枠材
１０６…縦補強材
１１０…建物屋内側型枠
１１２…内側縦枠
１１４Ｕ…補強枠材
１１８…間隔保持材
Ｓ…捨て石
ＭＣ…モルタル
ＫＴ…鏝
【要約】
【課題】建物基礎における断熱を、防蟻性を確保した上で、簡便に達成する。
【解決手段】断熱基礎構造１０は、捨てコンクリート１２に立設された立ち上げ部３０に、断熱材本体４２に表皮ボード４４を装着済みの基礎断熱材４０を配設する。基礎断熱材４０は、立ち上げ部３０を縦分割した各分割領域ごとに複数用意されて、表皮ボード４４を立ち上げ部３０の外面と実質的に面一とする。その上で、第１防蟻メッシュ６０Ｈにより、表皮ボード４４の下端側を立ち上げ部３０の外面と共に覆って、基礎断熱材４０の下端側からの防蟻性を確保し、第２防蟻メッシュ６０Ｖにより、隣り合う基礎断熱材４０の間においても、表皮ボード４４を覆って、防蟻性を確保する。
【選択図】図１【図１】
0005514926.tif 000002
【図２】
0005514926.tif 000003
【図３】
0005514926.tif 000004
【図４】
0005514926.tif 000005
【図５】
0005514926.tif 000006
【図６】
0005514926.tif 000007
【図７】
0005514926.tif 000008